(57)【特許請求の範囲】
【請求項１】
第１の加入者端末装置に位置する第１のパーティと、第２の加入者端末装置に位置する第２のパーティとの間の既存の呼接続に呼待ちパーティを追加するシステムであって、
発呼パーティから既存の加入者呼接続に組み込まれた第１のパーティ及び第２のパーティのうちの何れか一方に向けられた着信呼に応答して、第１のパーティ及び第２のパーティのうちの該何れか一方に関連付けられた該第１の加入者端末装置及び該第２の加入者端末装置のうちの一方において、警告通知を生成する着信呼処理手段、及び
該第１のパーティ及び該第２のパーティのうちの該何れか一方が、該第１の加入者端末装置及び該第２の加入者端末装置のうちのそれぞれの一方において、所定の信号を生成したことに応答して、該既存の呼接続上の該第１のパーティ及び該第２のパーティのうちの該何れか一方を該発呼パーティに置き換える発呼パーティ置換手段からなる、既存の呼接続に呼待ちパーティを追加するシステム。
【請求項２】
請求項１の既存の呼接続に呼待ちパーティを追加するシステムにおいて、該発呼パーティ置換手段は、
該第１のパーティ及び該第２のパーティのうちの該一方が、該第１の加入者端末装置及び該第２の加入者端末装置のうちのそれぞれの一方において該所定の信号を生成したことに応答して、該第１のパーティ及び該第２のパーティのうちの該一方を該既存の呼接続から切断する離脱手段からなる、既存の呼接続に呼待ちパーティを追加するシステム。
【請求項３】
請求項１の既存の呼接続に呼待ちパーティを追加するシステムにおいて、該発呼パーティ置換手段は、
第１のパーティ及び第２のパーティのうちの該一方が該警告通知を受け取って該一方に関連付けられた加入者端末装置のスイッチフックを点滅させたことに応答して、該第１のパーティ及び第２のパーティのうちの他方を保留にし、該発呼パーティと該第１のパーティ及び第２のパーティのうちの該一方とを接続する呼保留手段をさらに含む、既存の呼接続に呼待ちパーティを追加するシステム。
【請求項４】
第１の加入者端末装置に位置する第１のパーティと、第２の加入者端末装置に位置する第２のパーティとの間の既存の呼接続に呼待ちパーティを追加する方法であって、
既存の加入者呼接続に組み込まれた第１のパーティ及び第２のパーティのうちの何れか一方に向けられた着信呼に応答して、第１のパーティ及び第２のパーティのうちの該何れか一方に関連付けられた該第１の加入者端末装置及び該第２の加入者端末装置のうちの一方において該着信呼処理手段によって警告通知を生成するステップ、及び
該第１のパーティ及び該第２のパーティのうちの該何れか一方が該第１の加入者端末装置及び該第２の加入者端末装置のうちのそれぞれの一方において所定の信号を生成したことに応答して、該既存の呼接続上の該第１のパーティ及び該第２のパーティのうちの該何れか一方を発呼パーティ置換手段によって該発呼パーティに置き換えるステップからなる、既存の呼接続に呼待ちパーティを追加する方法。
【請求項５】
請求項４の既存の呼接続に呼待ちパーティを追加する方法であって、さらに、
該第１のパーティ及び該第２のパーティのうちの該一方が、該第１の加入者端末装置及び該第２の加入者端末装置のうちのそれぞれの一方において該所定の信号を生成したことに応答して、離脱手段によって、該第１のパーティ及び該第２のパーティのうちの該一方を該既存の呼接続から切断するステップからなる、既存の呼接続に呼待ちパーティを追加する方法。
【請求項６】
請求項４の既存の呼接続に呼待ちパーティを追加する方法であって、さらに、
第１のパーティ及び第２のパーティのうちの該一方が該警告通知を受け取って該一方に関連付けられた加入者端末装置のスイッチフックを点滅させたことに応答して、呼保留手段によって、該第１のパーティ及び第２のパーティのうちの他方を保留にし、該第１のパーティ及び第２のパーティのうちの該一方と該発呼パーティとを接続するステップからなる、既存の呼接続に呼待ちパーティを追加する方法。
【発明の詳細な説明】
【技術分野】
【０００１】
本発明は通信網と呼待ちパーティに対する既存の加入者呼接続の管理とに関する。
【背景技術】
【０００２】
通信網の分野では、既存の加入者呼接続に対する呼待ちパーティである加入者をその既存の加入者呼接続にある２つのパーティに含めることを可能にすることが１つの課題である。
現時点では、既存の加入者呼接続にあるパーティに呼待ちモードで第３のパーティ（呼待ちパーティ）から着信呼があった場合、その呼待ちパーティを既存の加入者呼接続にある２つのパーティに含めることができない。既存の加入者呼接続に別の（第３の）パーティを追加することは、現在の電話網では既存の加入者呼接続にある２つのパーティの一方が三者間通話を開始して、第３のパーティを呼び出す形式でのみ可能である。三者間通話機能では、第３のパーティを既存の加入者呼接続に追加するが、既存の加入者呼接続にある２つのパーティの一方への第３のパーティからの呼び出しに応答することができない。
【０００３】
従って、現在ある通信網は、呼待ちパーティを有する既存の加入者呼接続では、既存の加入者呼接続にある２つのパーティに呼待ちパーティが含まれることを可能にすることができず、既存の呼接続にある２つのパーティの一方が呼から離脱し、呼待ちパーティに取って代わられることを可能にすることもできない。
【発明の開示】
【課題を解決するための手段】
【０００４】
既存の加入者呼接続に呼待ちパーティを追加する本システムによって、前述の問題は解決され、技術的進展が達成される。本システムは、既存の加入者呼接続にあって、第３のパーティから着信呼を受け取ったパーティがその発呼パーティを既存の加入者呼接続に追加すること、又は、既存の呼接続を中断することなく既存の呼接続から離脱し、第３のパーティに取って代わられることを可能にする。
【０００５】
既存の呼接続に呼待ちパーティを追加する本システムは既存の呼接続にあるパーティの１つに着信呼が向けられたときに動作する。被呼パーティは着信呼の通知を受け取り、それらの端末装置のスイッチフックを点滅させて、既存の呼接続の他方のパーティを保留にし、同時に着信呼を受信する。被呼パーティは発呼パーティと話した後、発呼パーティが被呼パーティ及び既存の呼接続の他方のパーティの両方と通信しなければならないとの決定を下す。次に被呼パーティはそれらの端末装置を操作して、特定のディジット又はコードを入力することによって、既存の呼接続に呼待ちパーティを追加するシステムを起動し、そのシステムは、応答として、既存の呼接続を維持しながら同時に発呼パーティを既存の呼接続に追加する。これによって３つのパーティすべてが呼接続にあり、３つのパーティの１つが呼から離脱するまで会話し続け、離脱後、課金記録が作成され、呼リソースが解放される。
【０００６】
代替として、被呼パーティが、発呼パーティは現在保留中の既存の呼接続の他方のパーティとのみ通信しなければならないとの決定を下した場合、被呼パーティは発呼パーティ（「呼待ちパーティ」とも呼ぶ）を保留にして、既存の呼接続の他方のパーティと協議してから呼待ちパーティを既存の呼接続に追加することが可能である。代替として、被呼パーティは所定のコードをダイヤルして呼待ちパーティを接続して三者間通話を行い、その後、所定のコードを入力して自らが呼接続から離脱することが可能である。これによって、最初の呼接続からの他方のパーティと呼待ちパーティとが呼にあり続けることが可能になる。両方の場合とも、離脱したパーティはそれらが離脱した呼接続から干渉を受けることなく呼を発したり受けたりすることが可能である。呼はいずれかのパーティが離脱するまで動作し続ける。
【発明を実施するための最良の形態】
【０００７】
図１は、電話網と既存の呼接続に呼待ちパーティを追加する本システムを用いる典型的な呼接続との全体的なアーキテクチャをブロック図で示したものであり、図２及び３は、加入者の呼転送を実施するために既存の呼接続に呼待ちパーティを追加する本システムによって実行される操作ステップをフロー図で示したものである。
【０００８】
この通信網は複数のローカル通信システムを含む従来の音声通信網を備える。これは、公衆交換電話網（ＰＳＴＮ）の陸上構成、無線構成、又はこれら２つの組み合わせ１０１Ｃ、１０２Ｃであることが可能であり、１０１Ｃ、１０２ＣはＰＳＴＮ  １００の一部であって、（さらにＩＰ接続であることも可能な）中継回線を介して長距離通信事業者システム（ＩＸＣ）１０３と相互接続される電話交換システムなどである。通信システム１０１、１０２のそれぞれは複数の端末装置にサービスを提供し、通信システム１０１、１０２はよく知られたＳＳ７シグナリングプロトコルを用いて、長距離通信事業者システム（ＩＸＣ）１０３経由の帯域外シグナリングリンクＣＳによって相互接続されてよい。これはＩＰプロトコルを用いて行われることも可能である。そのような通信網の動作はよく知られているので本明細書では詳しい説明を行わない。通信システム１０１、１０２はサービス対象の端末装置に機能及びサービスの一式を提供し、既存の呼接続に呼待ちパーティを追加するシステムＣＨＮ１、ＣＨＮ２を含む。ここで、通信システム１０１、１０２は関連付けられた端末装置から受け取った制御信号に反応して、それらの端末装置の呼接続機能を実装する。
【０００９】
具体的な例として、既存の呼接続に呼待ちパーティを追加する本システムＣＨＮ２の動作を説明するために用いられる呼接続は端末装置１１１と端末装置１２２との接続で構成されるとする。この接続は端末装置１１１から通信システム１０１（パス１）、長距離通信事業者システム（ＩＸＣ）１０３（パス２）、及び通信システム１０２（パス３）を経て端末装置１２２に達する。複数の通信システム及び長距離通信事業者システム（ＩＸＣ）を呼接続に用いることは、既存の呼接続に呼待ちパーティを追加するシステムＣＨＮ２の動作に対する限定ではなく、呼接続は通信システム１０２内で完結することも可能であり、１つ又は複数の移動端末装置及びそれらが関連付けられた移動交換局（図示せず）を含むことも可能である。
【００１０】
この環境では、既存の呼接続に第３のパーティを追加すること、又は既存の呼接続にある２つのパーティの一方を第３のパーティに置き換えることのための唯一の方法は三者間通話機能を用いることである。三者間通話機能は、既存の呼接続にある２つのパーティの一方（第１のパーティ）がそれらの端末装置のスイッチフックを点滅させて他方のパーティを保留にし、第３のパーティへの呼を開始したときに起動される。次に、第３のパーティは第１のパーティに接続され、第１のパーティはそれらの端末装置のスイッチフックを再度点滅させて第３のパーティを既存の呼接続に追加することが可能である。残念なことに、この機能は、既存の呼接続にある２つのパーティの一方だけが第３のパーティと接触できるという点でアウトバウンドにしか対応できない。
【００１１】
既存の呼接続に呼待ちパーティを追加するシステムＣＨＮ２は、第３のパーティ（発呼パーティ）が既存の呼接続にある一方のパーティと接触して、既存の呼接続に追加されることを可能にするように動作する。この処理はステップ２０１で端末装置１２１に位置する発呼パーティからの着信呼が既存の呼接続（パス１〜３）にあるパーティの一方（被呼パーティ）の端末装置１２２に向けられたときに開始される。被呼パーティはステップ２０２でそれらの端末装置１２２で着信呼の通知を受け取り、ステップ２０３でそれらの端末装置１２２のスイッチフックを点滅させて既存の呼接続にある他方のパーティの端末装置１１１を保留にし、同時に、発呼パーティの端末装置１２１をパス４経由で被呼パーティの端末装置１２２に接続することによって発呼パーティからの着信呼を受信する。被呼パーティは発呼パーティと話した後、ステップ２０４で発呼パーティが被呼パーティ及び既存の呼接続の他方のパーティの両方と通信しなければならないとの決定を下す。次に被呼パーティはステップ２０５でそれらの端末装置１２２を操作して、特定のディジット又はコードを入力することによって既存の呼接続に呼待ちパーティを追加するシステムＣＨＮ２を起動し、システムＣＨＮ２は、応答として、ステップ２０６で、既存の呼接続のパス１〜３を維持しながら発呼パーティの端末装置１２１をパス５経由で既存の呼接続に追加し、ステップ２０７でパス４を切り離す。
【００１２】
これによって、ステップ２０８で３つのパーティすべてが呼接続にあり、３つのパーティの１つが呼から離脱するまで会話し続け、離脱後、ステップ２０９で課金記録が作成され、呼リソースが解放される。
【００１３】
代替として、既存の呼接続に呼待ちパーティを追加するシステムは、第３のパーティ（発呼パーティ）が既存の呼接続にある一方のパーティと接触して、既存の呼接続においてそのパーティに取って代わることを可能にするように動作する。図３に示されるように、この処理はステップ３０１で端末装置１２１に位置する発呼パーティからの着信呼が既存の呼接続（パス１〜３）にあるパーティの一方（被呼パーティ）の端末装置１２２に向けられたときに開始される。被呼パーティはステップ３０２でそれらの端末装置１２２で着信呼の通知を受け取り、ステップ３０３でそれらの端末装置１２２のスイッチフックを点滅させて（又は他の何らかの制御信号を生成して）既存の呼接続にある他方のパーティの端末装置１１１を保留にし、同時に、発呼パーティの端末装置１２１をパス４経由で被呼パーティの端末装置１２２に接続することによって発呼パーティからの着信呼を受信する。被呼パーティは発呼パーティと話した後、ステップ３０４で発呼パーティが現在保留中の既存の呼接続の他方のパーティとのみ通信しなければならないとの決定を下す。次に被呼パーティはステップ３０５でそれらの端末装置１２２を操作して発呼パーティ（「呼待ちパーティ」とも呼ぶ）を保留にし、既存の呼接続の他方のパーティと協議してから呼待ちパーティを既存の呼接続に追加する。
【００１４】
呼接続を呼待ちパーティに転送する処理は異なる２つの方法で実現可能である。被呼パーティは所定のコードをダイヤルして呼待ちパーティを接続して三者間通話を行い、その後、所定のコードを入力して自身が呼接続から離脱することが可能である。これによって、最初の呼接続からの他方のパーティと呼待ちパーティとが呼にあり続けることが可能になる。代替として、被呼パーティは所定のコードをダイヤルして呼待ちパーティを呼接続に接続し、自身が呼接続から離脱することが可能である。これによって、最初の呼接続からの他方のパーティと呼待ちパーティとが呼にあり続けることが可能になる。第２のケースは第１のケースの一部であるため、本明細書では、この三者間接続はステップ３０７へジャンプするだけで実装可能であるという認識で説明されている。
【００１５】
次に被呼パーティはステップ３０６でそれらの端末装置１２２を操作して特定のディジット又はコードを入力することによって、既存の呼接続に呼待ちパーティを追加するシステムＣＨＮ２を起動し、システムＣＨＮ２は、応答として、ステップ３０７で既存の呼接続のパス１〜２を維持しながら発呼パーティの端末装置１２１をパス５経由で既存の呼接続に追加する。これにより、３つのパーティがすべて接続され、ステップ３０８で被呼パーティがそれらの端末装置１２２を操作して特定のディジット又はコードを入力して、既存の呼接続に呼待ちパーティを追加するシステムＣＨＮ２を起動し、システムＣＨＮ２が、応答として、ステップ３０９で被呼パーティの端末装置１２２を既存の呼接続から切り離すまで３つのパーティが会話することが可能である。
【００１６】
これにより、２つのパーティ、即ち、端末装置１２１における発呼パーティと、端末装置１１１における既存の呼接続の他方のパーティとが呼接続（パス１、２、５）にあり、これら２つのパーティはその一方がステップ３１０で呼から離脱し、ステップ３１１で課金記録を作成し、呼リソースを解放するまで会話し続ける。代替として、これら２つのパーティの一方が次の着信呼を受け取ることが可能であり、前述の処理が繰り返されることが可能であり、この場合、発呼パーティは既存の呼接続に追加されるか、三者間通話が形成されることが可能である。
【００１７】
このサービスは、サービス・ディスパッチャ（被呼パーティ）のケースにおいて有用である（このケースでは、サービス担当者がディスパッチャに発呼し、第３のパーティの顧客（発呼パーティ）が呼に追加され、サービス担当者と顧客とがディスパッチャの関与を必要とせずに会話を行う）。
まとめ
【００１８】
既存の呼接続に呼待ちパーティを追加するシステムは、既存の加入者呼接続にあって第３のパーティから着信呼を受け取ったパーティが、その発呼パーティを既存の加入者呼接続に追加することを可能にする。
【図面の簡単な説明】
【００１９】
【図１】電話網と、既存の呼接続に呼待ちパーティを追加する本システムを用いる典型的な呼接続との全体的なアーキテクチャを示したブロック図である。
【図２】加入者の呼転送を実施するために既存の呼接続に呼待ちパーティを追加する本システムによって実行される操作ステップを示すフロー図である。
【図３】加入者の呼転送を実施するために既存の呼接続に呼待ちパーティを追加する本システムによって実行される操作ステップを示すフロー図である。
【図１】
0005635235.tif 000002
【図２】
0005635235.tif 000003
【図３】
0005635235.tif 000004